(57)【要約】【課題】本発明は、軽量化できるとともに、段積みした場合に下側の飲料用容器の口部付近に水滴が滴下しにくくした運搬用容器を提供する。【解決手段】運搬用容器１は、連続模様のリブから構成された底面部２と、該底面部２の周囲から立ち上げた周壁部３とから容器本体５を構成し、該容器本体５内に配設された格子状の仕切壁４により区画された枠内に飲料用容器９を収容し、前記底面部２は、前記飲料用容器９の底面９ｂに当接して荷重を支持するリング状の支持リム部６と、該支持リム部６の外周面６ａから外方に張り出す張出部８とを備えたことを特徴とする。【選択図】図６
2015131667.tif 000002
【特許請求の範囲】
【請求項１】
連続模様のリブから構成された底面部と、該底面部の周囲から立ち上げた周壁部とから容器本体を構成し、該容器本体内に配設された格子状の仕切壁により区画された枠内に飲料用容器を収容する運搬用容器であって、
前記底面部は、前記飲料用容器の底面に当接して荷重を支持するリング状の支持リム部と、該支持リム部の外周面から外方に張り出す張出部とを備えた運搬用容器。
【請求項２】
前記支持リム部は、前記飲料用容器の口部の直径よりも大きい直径に形成した請求項１に記載の運搬用容器。
【請求項３】
前記張出部は、略断面三角形状に形成した請求項１又は２に記載の運搬用容器。
【請求項４】
前記支持リム部は、上端面を前記飲料用容器の底面に沿う形状にした請求項１〜３のいずれかに記載の運搬用容器。
【発明の詳細な説明】
【技術分野】
【０００１】
本発明は、飲料用容器を収容して運搬することができる運搬用容器に関し、特にガラス瓶の口部に王冠を嵌め合せた飲料用容器などを収容するのに好適な運搬用容器に関する。
【背景技術】
【０００２】
従来、ガラス瓶などの飲料用容器を運搬するための運搬用容器としては、連続模様のリブから形成した底面部の周囲に側壁部を設け、その内部を縦横の隔壁により区画した直方体状の運搬用容器が知られている。このような運搬用容器は、区画された枠内に飲料用容器を収容できるように形成され、また、多段に積み上げることができるように形成されている。
【０００３】
このような運搬用容器に、飲料用容器を収容し、積み上げ、屋外にて保管することがある。この場合、飲料用容器は、降雨に晒され、表面に水滴などが付着することがある。この水滴が飲料用容器の表面上を流れ、底面に集水して滴り落ち、下側の飲料用容器を濡らすことがあった。
【０００４】
そこで、上方から滴り落ちてくる水滴等が下方の容器の口部近傍に落下することを防止することができる運搬用容器が開発されており、例えば、下記特許文献１には、底面部を構成しているリブを、収容する牛乳瓶等の底面に当接して荷重を支持する中央リブ部分と、この中央リブ部分の外方に配置されこれら中央リブ部分を連結する連結リブ部分と、から構成し、前記中央リブ部分は、略円盤形であるとともに、この円盤が少なくとも前記牛乳瓶等の口部と等しいか、これより大きいベタ状の円盤であることを特徴とする運搬用容器が開示されている。
【先行技術文献】
【特許文献】
【０００５】
【特許文献１】特開２００２−２６９７号公報
【発明の概要】
【発明が解決しようとする課題】
【０００６】
上記特許文献１の運搬用容器は、中央リブ部分を略円盤状に形成して底面部を広く覆う構成としてあるため、使用する樹脂が多くなり、運搬用容器の重量が増し、またコストが上がるという問題があった。
さらには、底面部に略円盤状の中央リブ部分を設けても、表面張力により中央リブ部分の底面側に水が回り込み、下方の飲料用容器の口部付近に水滴が落下するおそれがあった。ガラス瓶などの飲料用容器は、口部の蓋として王冠を用いるものが多く、王冠は金属からなるものであるため、錆が発生して腐食するおそれがあった。
【０００７】
そこで、本発明は、上記課題を鑑み、軽量化できるとともに、段積みした場合に下側の飲料用容器の口部付近に水滴が滴下しにくくした運搬用容器を提供することを目的とする。
【課題を解決するための手段】
【０００８】
本発明の運搬用容器の一形態は、連続模様のリブから構成された底面部と、該底面部の周囲から立ち上げた周壁部とから容器本体を構成し、該容器本体内に配設された格子状の仕切壁により区画された枠内に飲料用容器を収容する運搬用容器であって、前記底面部は、前記飲料用容器の底面に当接して荷重を支持するリング状の支持リム部と、該支持リム部の外周面から外方に張り出す張出部とを備えたことを特徴とする。
【０００９】
上記形態において、前記支持リム部は、前記飲料用容器の口部の直径よりも大きい直径に形成することができる。
【００１０】
上記形態において、前記張出部は、略断面三角形状に形成することができる。
【００１１】
上記形態において、前記支持リム部は、上端面を前記飲料用容器の底面に沿う形状にすることができる。
【００１２】
上記形態の運搬用容器は、支持リム部をリング状に形成したため、円盤状に形成する場合と比較して軽量化を図ることができる。また、支持リム部の外周面に張出部を設けたため、飲料用容器の表面を流れ落ちてきた水滴は、張出部の先端部から滴り落ち、下側の飲料用容器の口部付近に落下しにくくなる。
【図面の簡単な説明】
【００１３】
【図１】本発明の一実施形態の運搬用容器を示した斜視図である。
【図２】図１の運搬用容器の平面図である。
【図３】図１の運搬用容器の底面図である。
【図４】図２のＡ−Ａ線における断面図である。
【図５】図１の運搬用容器に飲料用容器を収容した場合を示し、図２のＢ−Ｂ線における断面図である。
【図６】図１の運搬用容器に飲料用容器を収容して段積みした場合を示した断面図である。
【発明を実施するための形態】
【００１４】
以下、本発明の運搬用容器の一実施形態について説明するが、本発明は下記実施形態に制限されるものではない。
【００１５】
本発明の一実施形態の運搬用容器１は、図１〜図５などに示すように、リブから形成した底面部２と、その周囲の周壁部３と、その内部に配した仕切壁４とを備えたものである。
【００１６】
運搬用容器１は、例えば、ポリプロピレン、ポリエチレンなどの合成樹脂から形成することができ、射出成形などにより製造することができる。本実施形態では、図１又は図２などに示すように、底面部２の周囲に周壁部３を形成した直方体箱型の容器本体５と、その内部に格子状に配した仕切壁４とを備え、これらを一体的に形成してある。
容器本体５の内部は、仕切壁４を縦横に格子状に配して区画されており、各区画の枠内に飲料用容器９を収容することができ、本実施形態では、２４本（２ダース）の飲料用容器９が収容することができるように形成してある。
運搬用容器１は、特に限定するものではないが、瓶、ペットボトル、金属製容器などの飲料用容器９を収容することができ、特に、ビール瓶、清涼飲料用瓶などのガラス瓶の口部の金属製の蓋部として王冠を用いた飲料用容器を収容するのに好適である。
【００１７】
底面部２は、本実施形態では、連続模様のリブからなり、仕切壁４で囲まれた一区画を基本単位とした連続模様としてある。この基本単位は、図２〜図５などに示すように、リング状の支持リム部６と、支持リム部６を仕切壁４と連結する連結リム部７とを備える。
底面部２の底面側の周縁部２ａは、図３に示すように、平坦面状の箇所を有し、他の運搬用容器１の周壁部３の上端面３ａに載るように形成してある。
【００１８】
支持リム部６は、本実施形態では、リング状（若干高さの円筒状）に形成してあり、その外周面６ａには、外向きに張り出した張出部８が周方向に形成してある。支持リム部６の外径は、収容する飲料用容器９の口部の直径よりも大きく形成することが好ましく、具体的には、外径を４０ｍｍ〜６０ｍｍ、特に４４ｍｍ〜５０ｍｍに形成することが好ましい。また、肉厚は１．５ｍｍ〜６ｍｍ、特に２ｍｍ〜４ｍｍに形成することが好ましく、高さは５ｍｍ〜２０ｍｍ、特に８ｍｍ〜１２ｍｍに形成することが好ましい。
外周面６ａは、垂直面として形成してあるが、これに限定されるものではなく、傾斜面状や湾曲面状等に形成してもよい。
【００１９】
支持リム部６の上端面６ｂは、収容する飲料用容器９の底面９ｂの形状に沿うように形成するのが好ましく、本実施形態では平坦面状に形成してある。これにより、飲料用容器９の底面９ｂと上端面６ｂとが密着して隙間がなくなり、飲料用容器９の表面を滴り落ちてきた水滴が支持リム部６の内周側に浸入することを防ぐことができる。
【００２０】
張出部８は、本実施形態では、図４又は図５に示すように、支持リム部６の外周面６ａの下端部寄りから外方に張り出すように形成してあり、連結リム部７の箇所を除き全周に渡り形成してある。また、張出部８の断面形状は、上面が傾斜面となる略直角三角形状に形成してある。張出部８の形状は、これに限定されるものではなく、平板状などに形成すこともでき、また、断面形状を三角形状や半円状などに形成することもできる。張出部８は、上面を傾斜状にするのが好ましい。
【００２１】
張出部８の外径は、収容する飲料用容器９の口部の直径よりも大きく形成することが好ましく、具体的には、外径を４５ｍｍ〜６５ｍｍ、特に４９ｍｍ〜５５ｍｍに形成することが好ましい。また、外周面９ａからの出幅を１ｍｍ〜５ｍｍ、特に２ｍｍ〜３ｍｍに形成することが好ましい。
【００２２】
連結リム部７は、本実施形態では、断面縦長長方形状に形成してあり、支持リム部６の外周面６ａから四方に伸び、仕切壁４と連結するようにしてある。連結リム部７は、横又は縦の仕切壁４と並行に形成してあり、高さ及び肉厚は、支持リム部６と略同一に形成してある。
【００２３】
周壁部３は、本実施形態では、図１に示すように、底面部２の周縁部から立ち上げた４つの側壁面からなり、各側壁面は中央付近に開口部を有し、面上の適宜箇所には縦又は横に延びるリブが複数形成してある。周壁部３の上端面３ａは、平坦面状に形成し、上記したとおり、他の運搬用容器１の底面部２の周縁部２ａが載るようにしてある。
【００２４】
仕切壁４は、本実施形態では、図４又は図５に示すように、蛇行状の上片面部４ａの各下端部から下方に延びる脚部４ｂを有する形状としてある。
【００２５】
運搬用容器１は、飲料用容器９を収容して段積みすることができる。この状態において、図６に示すように、飲料用容器９が上下に配されるため、上側の飲料用容器９の表面に付着した水滴１０が下側の飲料用容器９に向かい滴下することがある。この際、上側の飲料用容器９の表面上を流れ落ちてきた水滴１０は、図６の矢印Ａに示すとおり、飲料用容器９の底面９ｂから支持リム部６の外周面６ａに渡り、張出部８の上面を経由して、その先端部から外方に向け滴り落ちることになる。このため、水滴１０は下側の飲料用容器９の口部付近に滴下しにくくなり、下側の飲料用容器９の口部付近が汚れにくくなる。また、飲料用容器９が、王冠９ａを口部に嵌め合わせるビール瓶などである場合は、王冠９ａに水滴１０が滴下しにくくなるため、王冠９ａが錆び、腐食することを防止することができる。
【００２６】
支持リム部６を、飲料用容器９の口部の直径よりも大きい直径に形成すれば、なおさら下側の飲料用容器９の口部付近に水滴１０が滴下しにくくなる。
支持リム部６の上端面６ａを、飲料用容器９の底面９ｂに沿う形状として密着するようにすれば、飲料用容器９の底面９ｂと支持リム部６の上端面６ｂとの間に隙間ができにくくなり、水滴１０を支持リム部６の内周側に浸入しにくくすることができる。
【００２７】
張出部８を略断面三角形状に形成すれば、外周面９ａを流れてきた水滴１０を外方に向け滴下させやすくなる。
【００２８】
また、支持リム部６は、リング状に形成してあるため、円盤状に形成した場合と比べて軽量になり、運搬用容器１の重量を軽くすることができる。
【符号の説明】
【００２９】
１運搬用容器
２底面部
２ａ周縁部
３周壁部
３ａ上端面
４仕切壁
５容器本体
６支持リム部
６ａ外周面
６ｂ上端面
７連結リム部
８張出部
９飲料用容器
９ａ王冠
９ｂ底面
１０水滴
【図１】
2015131667.tif 000003
【図２】
2015131667.tif 000004
【図３】
2015131667.tif 000005
【図４】
2015131667.tif 000006
【図５】
2015131667.tif 000007
【図６】
2015131667.tif 000008